(57)【要約】【課題】パーティションスタンドに対して経時的劣化に対する耐性に優れるバー部材を使用可能であり、かつ不使用時にはバー部材をパーティションスタンド内に収納可能でコンパクトに保管可能なパーティションを提供することを目的とする。【解決手段】台座１０とポール１１とフック受け１２とを有するパーティションスタンド２と、フック受け１２に係止可能なフック６０を有するパーティション部材３とを含み、パーティションスタンド２を床面上に複数設置して、各パーティションスタンド２間にパーティション部材３を係止して空間を区画するパーティション１であって、パーティション部材３として内外二層構造で伸縮自在なのバー部材を使用しており、パーティション１の不使用時には、バー部材３を縮めてその半分以上をポール１１の内部空間に収納可能であることを特徴とする。【選択図】図９
2008303602.tif 000002
【特許請求の範囲】
【請求項１】
台座と該台座から立設するポールと該ポール上部の外周面に設けられたフック受けとを有するパーティションスタンドと、前記パーティションスタンドのフック受けに係止可能なフックをその両端に有するパーティション部材とを含み、前記パーティションスタンドを床面上に互いに所定の間隔を隔てて複数設置して、各パーティションスタンド間に前記パーティション部材を掛け止めた状態で空間を区画するパーティションであって、
前記パーティション部材としてバー部材を使用しており、
前記パーティションスタンドのポールの内部は中空となっており、
パーティションの不使用時には、少なくとも前記バー部材の半分以上を前記ポールの内部に収納可能であることを特徴とするパーティション。
【請求項２】
前記バー部材が、外筒と、該外筒内に摺動自在に配される内筒とを有し、
前記内筒が前記外筒内で摺動することで、前記バー部材の全体が伸縮自在であることを特徴とする請求項１に記載のパーティション。
【請求項３】
前記バー部材をポール内部の中空空間へ挿入するための挿入口が、前記ポールの上面に形成されており、
前記パーティションスタンドは、前記ポールの挿入口を閉塞するキャップを有し、
前記バー部材を縮めたときの最小寸法が、少なくとも前記キャップで前記挿入口を閉塞したときの前記パーティションスタンドの内部空間の高さ寸法よりも小さいことを特徴とする請求項２に記載のパーティション。
【請求項４】
前記ポールの内部下端には、クッション材が配されていることを特徴とする請求項１ないし請求項３のいずれかに記載のパーティション。
【請求項５】
前記クッション材は、前記ポールの内部形状と外形が相似するクッション部と、該クッション部の外周に設けられたリブとからなり、
前記クッション材を前記ポール内へ配したとき、前記リブが前記ポールと当接することで、少なくとも前記クッション部の外周の一部と前記ポールとの間に隙間が形成されていることを特徴とする請求項４に記載のパーティション。
【請求項６】
前記バー部材を前記パーティションスタンドのフック受けへ係止した状態において、該バー部材がパーティションスタンドに対して左右方向へ揺動自在となっていることを特徴とする請求項１ないし請求項５のいずれかに記載のパーティション。
【請求項７】
前記バー部材のフックは、外面が平坦で前記パーティションスタンドのフック受けに係止されることになる略直方体状の係止部を有し、
前記パーティションスタンドのフック受けは、前記フックを上方から受け入れる係止凹部を有し、該フック受けの係止凹部の奥面は左右方向へ凸曲面となっており、
前記フックを前記フック受けへ係止したとき、前記フックの係止部と前記フック受けの奥面とが上下方向に線接触することを特徴とする請求項６に記載のパーティション。
【請求項８】
前記バー部材は、前記フックとこれの基端側の揺動片とを有するフック体と、バー部材の主体を成す内外二層構造のバー体と、前記フック体とバー体とを連結し前記フック体の揺動片を収納可能な揺動凹部を有する連結体とを含み、
前記フック体の揺動片を前記連結体の揺動凹部に揺動可能に嵌合していることで、前記フック体が前記バー体に対して左右方向へ揺動自在となっていることを特徴とする請求項６または請求項７に記載のパーティション。
【請求項９】
前記台座の外周縁の一部には、少なくとも前記ポールの外形寸法より幅広の切欠が、台座の中心へ向かって切り欠き形成されていることを特徴とする請求項１ないし請求項８のいずれかに記載のパーティション。
【請求項１０】
前記パーティションスタンドにサイン表示を取り付け可能であることを特徴とする請求項１ないし請求項９のいずれかに記載のパーティション。
【発明の詳細な説明】
【技術分野】
【０００１】
本発明は、台座と該台座から立設するポールと該ポール上部の外周面に設けられたフック受けとを有するパーティションスタンドと、パーティションスタンドのフック受けに係止可能なフックを有するパーティション部材とを含み、パーティションスタンドを床面上に互いに所定の間隔を隔てて複数設置して、各パーティションスタンド間にパーティション部材を掛け止めた状態で空間を区画するパーティションに関する。
【背景技術】
【０００２】
この種のパーティションとして、特許文献１ないし特許文献３がある。これらは、床面に複数のパーティションスタンドを適当な配置で設置して各パーティションスタンド間にパーティション部材を架橋することで、車両や人の通行を規制したり危険ゾーンを区分けなどしたりするためにある空間を区画している。具体的には、特許文献１ないし特許文献３のパーティションは、各パーティションスタンド間にフレキシブルなパーティションベルトを掛け止めて空間を区画しており、パーティションの不使用時にはパーティションベルトをパーティションスタンドの上部に設けたハウジング内に巻き込み収納可能となっている。具体的には、床面上に起立設置されるパーティションスタンドにパーティション部材としてその先端にフックを有するパーティションベルトを引き出し可能に設けると共に、パーティションスタンドの上部の外周面に複数のフック受けを形成している。そして、空間を区画するには、一のパーティションスタンドからパーティションベルトを引き出して、その先端のフックを他のパーティションスタンドのフック受けに掛け止めている。これらパーティションスタンドのベルトエンド受けは、上下に長い溝又は凹部を有しており、ここにバーティションベルトのフックを上下方向から差し込み嵌合させている。
【０００３】
また、パーティションスタンドではないが、いわゆるカラーコーン（登録商標）を複数設置して、各カラーコーン間にパーティション部材としてバー部材を架設することで空間を区画する技術として特許文献４および特許文献５がある。詳しくは、特許文献４では台座から立設する中空円錐形のコーンの上部を切り取ってその上面に挿入口を設け、コーン上部の外周面に複数のバー部材の受け口を設けている。バー部材は中空円筒形のバー体とこれの両端開口からフック体を挿入してビス留めしている。そして、余ったバー部材が邪魔にならないよう、使用しないバー部材をコーンの挿入口から中空内部に差し込んで立て入れ可能となっている（段落０００６（ホ）、図１０）。特許文献５のバー部材は、その両端部近傍やその他の任意の部位に等間隔で設けた部分的に伸縮曲折自在な蛇腹部と、その両端に設けられたリング状のフックとから構成されている。これにより一本のバー部材で区画線をある程度変形可能とされている（図３）。
【０００４】
【特許文献１】特許第３６９４７２３号公報
【特許文献２】特許第２９７３２９１号公報
【特許文献３】実用新案登録第３００８７６２号公報
【特許文献４】特開２００３−３０６９１２号公報
【特許文献５】特開２００３−９６７２８号公報
【発明の開示】
【発明が解決しようとする課題】
【０００５】
特許文献１ないし特許文献３では、パーティション部材としてフレキシブルでパーティションスタンドに巻き込み収納可能なパーティションベルトを使用している。したがって、パーティションベルトがフレキシブルなので使用時に角度の変更が容易であり、かつ不使用時にパーティション部材が邪魔になることなくパーティションをコンパクトに保管できる。しかし、特許文献１ないし特許文献３のパーティションベルトは一般的に繊維を編み込んで形成されているので、人や物が接触してほつれたり（物理的劣化）、太陽の紫外線や熱などによって劣化し易い（耐候性が低い）。しかも、雨天には雨水を吸い込んでしまうので、水分を含んだ状態のままでパーティションベルトをパーティションスタンド内に収納すると、パーティションベルトの劣化、臭気、カビの発生などの問題が生じる。つまりは、パーティション部材としてパーティションベルトを使用すると、物理的・化学的要因による経時的劣化が早い。
【０００６】
これに対しパーティション部材としてバー部材を使用している特許文献４や特許文献５であれば、上記のような問題は少ない。しかし、従来の一般的なバー部材は長さ寸法が不変な長寸部材なので、パーティションの不使用時にはバー部材をコーンと別個に保管する必要があり邪魔となる。そこで、特許文献４では、バー部材のバー体とこれの両端開口に挿入固定するフック体との外径寸法を同一として多数のバー部材を１つに束ね易くしているが（段落０００６（ヘ）、図１１）、コーンと別個に保管しなければならないことに変わりは無く、やはりバー部材用の保管場所の確保が必要であってバー部材が邪魔である。また、バー部材をコーン内部に立て入れることができるが、これはあくまで一時しのぎであって、長寸のバー部材に対してコーンの高さ寸法が極めて低く、バー部材の殆どがコーンの上方に大きくはみ出しているので安定性が悪く、かつこの状態での保管には適さない。特許文献５のバー部材は部分的に長さ調節可能となっているが、その全体の長さ寸法を大きく変更できる構成とはなっていない。
【０００７】
そこで、本発明は上記課題を解決するものであって、パーティションスタンドに対して経時的劣化に対する耐性に優れるバー部材を使用可能であり、かつ不使用時にはバー部材をパーティションスタンド内に収納可能でコンパクトに保管可能なパーティションを提供することを目的とする。また、バー部材をパーティションスタンドに架設した使用時にバー部材の角度変更が可能なパーティションを提供することを目的とする。
【課題を解決するための手段】
【０００８】
そのための手段として請求項１に記載の本発明は、台座と該台座から立設するポールと該ポール上部の外周面に設けられたフック受けとを有するパーティションスタンドと、前記パーティションスタンドのフック受けに係止可能なフックをその両端に有するパーティション部材とを含み、前記パーティションスタンドを床面上に互いに所定の間隔を隔てて複数設置して、各パーティションスタンド間に前記パーティション部材を掛け止めた状態で空間を区画するパーティションであって、前記パーティション部材としてバー部材を使用しており、前記パーティションスタンドのポールの内部は中空となっており、パーティションの不使用時には、少なくとも前記バー部材の半分以上を前記ポールの内部に収納可能であることを特徴とする。
【０００９】
ここでの少なくともバー部材の半分以上をポールの内部に収納収容可能である形態としては、バー部材を短寸とする形態やパーティションスタンドを十分に長寸とする形態の他に、長寸のバー部材を１つ又は複数に折り畳んで収納する形態、及び長寸のバー部材を縮めて収納する形態などがある。この場合、バー部材がポール内に完全に収納されている場合も含まれる。また、バー部材をポール内部の中空空間へ収納するための挿入口は、ポールの上面または下面に設けるほか、ポールの周面に縦方向に大きく開口させていてもよい。
【００１０】
請求項２に記載の本発明は、請求項１に記載のパーティションにおいて、前記バー部材が、外筒と、該外筒内に摺動自在に配される内筒とを有する。そして、前記内筒が前記外筒内で摺動することで、前記バー部材の全体が伸縮自在であることを特徴とする。
【００１１】
請求項３に記載の本発明は、請求項２に記載のパーティションにおいて、前記バー部材をポール内部の中空空間へ挿入するための挿入口が前記ポールの上面に形成されており、前記パーティションスタンドは前記ポールの挿入口を閉塞するキャップを有している。そして、前記バー部材を縮めたときの最小寸法が、少なくとも前記キャップで前記挿入口を閉塞したときの前記パーティションスタンドの内部空間の高さ寸法よりも小さいことを特徴とする。バー部材の最小寸法が少なくとも中空空間の高さ寸法より小さければ、バー部材を最小に縮めたときの長さ寸法が、キャップで挿入口を閉塞したときのパーティションスタンドの内部空間の高さ寸法より僅かに小さい程度であってもよいし、十分に小さくなっていてもよい。また、キャップの内部にもバー部材の上部を収容可能な中空空間が形成されている場合には、パーティションスタンドの中空空間の高さ寸法は、ポール内部の中空空間とキャップ内部の中空空間とを合わせた寸法となる。この場合は、バー部材の最小寸法がポールの内部空間の高さ寸法より大きくても構わない。すなわち、バー部材を最小に縮めた状態でポール内に収納した状態において、バー部材の上部がポールの挿入口から上方へ突出している場合も含まれる。
【００１２】
請求項４に記載の本発明は、請求項１ないし請求項３のいずれかに記載のパーティションにおいて、前記ポールの内部下端にクッション材が配されていることを特徴とする。このクッション材は、バー部材をパーティションスタンド内に収納するときに、バー部材の自重による衝撃を緩衝するものである。
【００１３】
請求項５に記載の本発明は、請求項４に記載のパーティションにおいて、前記クッション材は、前記ポールの内部形状と外形が相似するクッション部と、該クッション部の外周に設けられたリブとから成っている。そして、前記クッション材を前記ポール内へ配したとき、前記リブが前記ポールと当接することで、少なくとも前記クッション部の外周の一部と前記ポールとの間に隙間が形成されていることを特徴とする。すなわち、リブがポールと当接している部分の近傍において、クッション部とポールとの間に隙間が形成されていることになる。このクッション材はポールの内部下端に配されるものである。したがって、ここでのクッション部の外径がポールの内部形状と相似している場合には、必然的にクッション部がポールの内部空間より径大の場合は除かれる。また、クッション部の外周に設けられるリブの数は特に限定されていない。したがって、リブが１つのみの場合はその近傍のみに隙間が形成されることになる。リブがクッション部の中心を挟んで対向状に２つ設けられている場合は、クッション部の外周面における両リブの中間部分のみがポールと当接し得る。リブが等間隔で複数個（３つ以上）設けられている場合は、クッション部がポールと当接することはない。
【００１４】
請求項６に記載の本発明は、請求項１ないし請求項５のいずれかに記載のパーティションにおいて、前記バー部材を前記パーティションスタンドのフック受けへ係止した状態において、該バー部材がパーティションスタンドに対して左右方向へ揺動自在となっていることを特徴とする。
【００１５】
請求項７に記載の本発明は、請求項６に記載のパーティションにおいて、前記バー部材のフックは、外面が平坦で前記パーティションスタンドのフック受けに係止されることになる略直方体状の係止部を有し、前記パーティションスタンドのフック受けは、前記フックを上方から受け入れる係止凹部を有し、該フック受けの係止凹部の奥面は左右方向へ凸曲面となっている。そして、前記フックを前記フック受けへ係止したとき、前記フックの係止部と前記フック受けの奥面とが上下方向に線接触することを特徴とする。係止部の形状は、直方体状であれば立方体に近い上下に短寸であってもよいし、上下に長くてもよい。また、略直方体状とは、外面が平坦で全体として直方体状となっていれば、各角部が面取りされて若干のＲを有する曲面となっている場合も含む概念である。
【００１６】
請求項８に記載の本発明は、請求項６または請求項７に記載のパーティションにおいて、前記バー部材は、前記フックとこれの基端側の揺動片とを有するフック体と、バー部材の主体を成す内外二層構造のバー体と、前記フック体とバー体とを連結し前記フック体の揺動片を収納可能な揺動凹部を有する連結体とを含んでいる。そして、前記フック体の揺動片を前記連結体の揺動凹部に揺動可能に嵌合していることで、前記フック体が前記バー体に対して左右方向へ揺動自在となっていることを特徴とする。この揺動機構は、これのみで構成してもよいし、請求項７の揺動機構と組み合わせてもよい。
【００１７】
請求項９に記載の本発明は、請求項１ないし請求項８のいずれかに記載のパーティションにおいて、前記台座の外周縁の一部には、少なくとも前記ポールの外形寸法より幅広の切欠が、台座の中心へ向かって切り欠き形成されていることを特徴とする。
【００１８】
請求項１０に記載の本発明は、請求項１ないし請求項９のいずれかに記載のパーティションにおいて、前記パーティションスタンドにサイン表示が取付可能であることを特徴とする。サイン表示とは、「立ち入り禁止」や「入り口」などの空間を区画していることや方向などを示す文字や図形が表示されている印刷媒体をいう。
【発明の効果】
【００１９】
請求項１に記載の本発明によれば、パーティション部材としてバー部材を使用しているので、パーティションベルトに比べて人や物が接触することによる物理的劣化が生じ難く、天候などによる経時的な化学的劣化すなわち耐候性にも優れている。また、非編み物物品なのでバー部材自体が水分を吸い込んでしまうことがなく、これをパーティションスタンド内に収納しても、水分による劣化や臭気の発生などの問題は少ない。そのうえで、パーティションスタンドのポールの内部を中空として、不使用時や使用時の余分なバー部材をポールの内部に少なくとも半分以上収納できるので、安定して収納できると共にパーティションの効率的な保管が可能である。とくに、バー部材の殆ど、好ましくは完全に収納できる構成としていれば、この効果はかなり大きい。
【００２０】
空間を区画するとき、パーティションスタンドの配設間隔をできるだけ広く取ってパーティションスタンドの配設個数やバー部材の使用個数をなるべく減らすために、バー部材はできるだけ長寸であることが好ましい。しかし、バー部材をパーティションスタンド内へ完全に収納するには、バー部材は短寸でなければならない。そこで、請求項２に記載の本発明によれば、バー部材を外筒と該外筒内で摺動可能な内筒との内外二層構造としてバー部材の全体を伸縮自在としているので、使用時にはバー部材を長寸としながら、収納時には短寸に縮めて確実に収納できる。また、使用時にはパーティションスタンドの配置間隔を調整できる。
【００２１】
請求項３に記載の本発明によれば、バー部材をポール内部へ挿入するための挿入口をポールの上面に形成しているので、バー部材の収納作業が楽である。また、挿入口を上面に設けてもこれをキャップで閉塞できるので、雨水や塵埃などがパーティションスタンド内に溜まることを防げる。そのうえで、バー部材を縮めた最小寸法が少なくとも挿入口をキャップで閉塞したときのパーティションスタンド内部の中空空間の高さ寸法よりも小さいので、バー部材を縮めてポール内に収納しても挿入口をキャップで閉塞できる。換言すれば、バー部材をパーティションスタンド内に完全に収納できる。
【００２２】
請求項４に記載の本発明によれば、ポールの内部下端にクッション材を配しているので、バー部材をパーティションスタンド内に収納するときに、バー部材の自重による衝撃を緩衝して、バー部材が破損することを防止できる。
【００２３】
請求項５に記載の本発明によれば、クッション材のクッション部の外周にリブを設けているので、クッション部でバー部材を受けと止めたときでもクッション部の形状が保持できる。また、クッション材をポール内へ配したとき、リブの存在によってクッション部とポールとの間に隙間が形成されていることから、挿入口から水分が入り込んだりバー部材に水分が付着した状態で収納しても、当該クッション部とポールとの隙間から水分を排出または溜めることができ、バー部材を確実に水切りできる。
【００２４】
請求項６に記載の本発明によれば、バー部材がパーティションスタンドに対して左右方向へ揺動自在なので、バー部材をパーティションスタンドに係止した状態のままでも、ある程度空間の区画ラインを変更することができる。また、パーティションスタンド同士を直角状や直線状だけでなく、斜めにずらした状態で配置することも可能である。また、使用時に不意にパーティションスタンドの設置位置がズレても、フックへの応力集中を回避でしてバー部材の破損を防止できる。バー部材の一端のみをパーティションスタンドへ係止した片持ち支持状態としたうえでバー部材を左右へ揺動すれば、バー部材の揺動先端側とパーティションスタンドとの間に空間を形成できる。これによれば、例えば関係者以外立ち入り禁止区域へ関係者が入るための一時的な入り口を容易に作ることができる。
【００２５】
請求項７に記載の本発明によれば、外面が平坦な係止部と凸曲面となっているフック受けの奥面とが上下方向に線接触しているので、当該線接触部分の左右においてフックの係止部とフック受けの奥面との間に一定のクリアランスが確保されている。これにより、バー部材に特別な機構を構成せずともバー部材をパーティションスタンドに対して左右方向に揺動自在にできる。
【００２６】
請求項８に記載の本発明によれば、バー部材をフック体と、バー部材の主体を成すバー体と、フック体とバー体とを連結する連結体で構成し、フック体の揺動片を連結体の揺動凹部に揺動可能に嵌合していることで、フック体をバー体に対してより大きく左右方向へ揺動自在にできる。したがって、バー体をパーティションスタンドに係止した状態でも空間区画ラインの変更自由度を大きくとることができる。また、請求項７の揺動機構と組み合わせることで、バー部材を左右へさらに大きく揺動させることができる。
【００２７】
請求項９に記載の本発明によれば、台座の外周縁の一部に少なくともポールの外形寸法より幅広の切欠を台座の中心へ向かって切り欠き形成しているので、当該切欠にポールを挿入して台座同士を重ね合わせるようにネスティングすることができ、複数のパーティションをコンパクトに保管することができる。
【００２８】
請求項１０に記載の本発明によれば、パーティションスタンドにサイン表示を取付可能なので、人や車両の規制などを円滑に行うことができる。
【発明を実施するための最良の形態】
【００２９】
次に、適宜図面を参照しながら、本発明に係るパーティションの具体的な実施の形態について説明するが、これに限定されることはなく、本願発明の要旨を逸脱しない範囲で種々の変更ができることはいうまでもない。パーティション１は、床面上に起立した状態で設置されるパーティションスタンド２と、２本のパーティションスタンド２・２間に架設可能なバー部材としてのバー３とから成っている。図１に、床面上に互いに所定の間隔を隔てて設置した２本のパーティションスタンド２・２間に、バー３を掛け止めた状態で空間を区画するパーティション１の使用状態を示す。このバー３が、パーティション部材に相当する。実際の現場では、複数個のパーティション１を図１に示すような状態で順次連結して使用することができ、道路、遊園地、工事現場、またはビル等の屋内など、種々の場所において人や車両の通行規制、長蛇の列の並び方規制、危険領域と安全領域との区別などのために供されるものである。なお、図１において符号４は、「立入禁止」や「入り口」、及び矢印などの文字や図形が表示されたサイン表示である。
【００３０】
まず、本実施形態のパーティション１を構成するパーティションスタンド２について説明する。図１においてパーティションスタンド２は、薄板円盤状の台座１０と、該台座１０から立設するポール１１と、該ポール１１の上部の外周面に設けられたフック受け１２と、ポール１１の上方に被せられるキャップ１３とを有する。キャップ１３を除いたパーティションスタンド２の縦断側面図である図２に示すごとく、ポール１１は、上下面が開口した円筒形のポール体１５と、ポール体１５の上面開口からポール体１５内に挿入嵌合されるスリーブ１６と、スリーブ１６の上方から被せられポール体１５の外周上部を覆うポールヘッド１７と、ポール体１５内の下部に溶接されポール１１の底面を構成する底板１８とから成っている。また、図１や図３に示されるように、台座１０の外周縁の一部には、ポール１１の外形寸法より僅かに幅広の切欠１４が、台座１０の中心へ向かって切り欠き形成されている。
【００３１】
図２においてスリーブ１６は、外筒２０と上下面が開口する内筒２１とを有する内外二層構造になっており、内筒２１の上端からやや下がった位置から外筒２０が一体形成されている。そして、スリーブ１６をポール体１５内に挿入したとき、外筒２０の外周全体でガタつきなくポール体１５の内面に当接していると共に、外筒２０の上端部分全周から径方向外方に向かって突出するフランジ２２が、ポール体１５の上端で受け止められている。また、図２のほかに図１１にもよく示されるように、内筒２１は、上方の円筒部２１ａと、下方の矩形筒部２１ｂと、円筒部２１ａと矩形筒部２１ｂとを繋ぐテーパー部２１ｃとから成る。スリーブ１６の上端には、キャップ１３の抜け外れを規制する規制フランジ２３が、径方向外方に向かって周方向に等間隔で４箇所に突出形成されている。規制フランジ２３の両端には、上方から下方に向けてスリット２４が切り欠き形成されていることで、規制フランジ２３は若干径方向内方へ撓み変位可能となっている。
【００３２】
図２、図９、及び図１１によく示されるように、ポールヘッド１７は上下面が開口する円筒形を呈しており、これをスリーブ１６の上方から被せたとき、ポールヘッド１７の上端全周から径方向内方に向けて突出するフランジ２６が、スリーブ１６のフランジ２２で受け止められている。したがって、ポールヘッド１７の上端からは、スリーブ１６の内筒２１が所定量上方へ突出しており、当該スリーブ１６の上面開口が、バー３をパーティションスタンド２内へ収納するための挿入口２５となっている。また、ポールヘッド１７の外周面には、周方向に等間隔で４箇所にフック受け１２が一体形成されている。フック受け１２は、ポールヘッド１７の上下高さ寸法よりやや小さい程度で縦長長方形状を呈しており、上面が開口する縦長袋状の係止凹部２７と、フック受け１２の外面左右中央において上端から下方に向けて切り欠き形成されたスリット２８とを有する。底板１８は上方へ湾曲するドーム状部材であって、これの中央部において台座１０の中央部とボルト留めされることで、ポール１１が台座１０の中央から立設した状態で固定されている。
【００３３】
図２に示すように、底板１８の上方、すなわちポール１１の内部下端にはゴム製のクッション材３０が配されている。このクッション材３０は、パーティションスタンド２の横断平面図である図３に示されるように、その外径がポール１１の内径より一回り小さくポール１１の内部形状と相似する円柱形のクッション部３１と、該クッション部３１の外周面に周方向に等間隔で複数個（本実施形態では８個）一体形成された縦方向のリブ３２とから成っている。そして、クッション材３０がポール１１内へ配されたとき、リブ３２がポール１１の内面と当接することで、クッション部３１の全周とポール１１の内面との間には隙間が形成されている。
【００３４】
キャップ１３の正面図を示す図４おいて、キャップ１３は下面が開口する中空円筒形を呈している。キャップ１３をポール１１の上方から被せると、ポール１１上端の規制フランジ２３がキャップ１３の内面と当接ないし近接し、キャップ１３の周壁がポールヘッド１７のフランジ２６の上面で受け止められることで、挿入口２５を閉塞できる。このとき、キャップ１３の中空内部の上面とポール１１の上端とは、所定寸法を隔てて離間している。これにより、本実施形態におけるパーティションスタンド２の内部空間の上下高さ寸法は、ポール１１の内部空間とキャップ１３の内部空間とを合わせた寸法となる。また、キャップ１３の横断平面図に相当する図５によく示されるように、キャップ１３の内面には、径方向内方に向かって突出する係止片３５が周方向に等間隔で４箇所に一体形成されている。また、係止片３５の周方向一端と係止片３５の周方向他端近傍とには、キャップ１３の内部空間の上面から続くリブ３６・３７が一体形成されている。係止片３５の周方向一端のリブ３６の径方向内方への突出量は、係止片３５の径方向幅寸法と同一であることに対し、係止片３５の周方向他端近傍のリブ３７の径方向内方への突出量は、係止片３５の径方向幅寸法より小さく設計されている。
【００３５】
ポール１１の規制フランジ２３の周方向長さ寸法は、キャップ１３内面のリブ３６とリブ３７との間の間隔寸法と同一に設計されている。また、キャップ１３の係止片３５は、キャップ１３でポール１１の挿入口２５を閉塞したとき、当該係止片３５の上面とポール１１の規制フランジ２３の下面とがちょうど接する高さ位置に設けられている。そして、キャップ１３でポール１１の挿入口２５を閉塞するには、キャップ１３の係止片３５とポール１１の規制フランジ２３とを周方向に位置ずれさせた状態でキャップ１３をポール１１の上方から被せたうえで、キャップ１３を周方向リブ３７側（本実施形態では右回り）へ回動させる。そうすると、キャップ１３内面のリブ３７がポール１１の規制フランジ２３の外周を摺動しながら回動していき、規制フランジ２３の回動方向先端側がキャップ１３内面のリブ３６に当接したとことで止まる。この位置状態では、規制フランジ２３はリブ３６とリブ３７との間に嵌まり込んだ状態で係止されていることで周方向への回動が規制されており、係止片３５は規制フランジ２３の下面に滑り込んでいることで、キャップ１３のポール１１からの抜け外れが防止されている。なお、キャップ１３を回動させるとき、ポール１１の規制フランジ２３は、スリット２４が形成されていることで径方向内方へ撓むことができ、かつ図１１によく示されるように、規制フランジ２３のリブ３７側は若干径方向の幅寸法が小さく形成されていることで、キャップ１３のリブ３７が規制フランジ２３の外面を円滑に摺動できるようになっている。
【００３６】
また、図１や図１２に示すごとく、パーティションスタンド２にはサイン表示（図示せず）を取り付け可能となっているものもある。具体的には、キャップ１３の上方にサイン表示を保持するクリアケース４０が、ホルダー４１を介して取り付けられている。詳しくは、クリアケース４０の取り付け機構の分解斜視図である図６によく示されるように、クリアケース４０は、透明樹脂製の平板を２枚重ねにしてその間にサイン表示を挟み込める構成となっており、一方の平板の一側面にはサイン表示を抜き出し易いようＵ字状の取っ手４２が切り欠き形成されている。ホルダー４１は、互いに対称構造を成す半ホルダー４１Ｌ・４１Ｒで構成されおり、これらを下面に凹み形成された凹部４３をキャップ１３の上方膨出部１３ａに突き合わせるように外嵌することでキャップ１３に取り付けられる。このとき、両半ホルダー４１Ｌ・４１Ｒの対向面に互いに対称に設けられた位置決めボス４５と位置決め孔４６とを嵌合することで、容易に半ホルダー４１Ｌと半ホルダー４１Ｒとを突き合わせることができる。クリアケース４０は、これの下方に貫通状に穿設された位置決め孔４７をホルダー４１のケース位置決めボス４８に嵌合させたうえで、両半ホルダー４１Ｌ・４１Ｒの対向面に形成された段部４９に載置してホルダー４１に取り付けられる。最後にクリアケース４０を介して両半ホルダー４１Ｌ・４１Ｒをビス４４で固定することで、キャップ１３にクリアケース４０が設置される。
【００３７】
次に、本実施形態のパーティション１のもう１つの構成部材であるバー３について詳しく説明する。バー３の正面図である図７に示すように、バー３の長手方向両端にはパーティションスタンド２のフック受け１２に係止可能なフック６０が設けられており、バー３の全体が長手方向に伸縮自在となっている。詳しくは、バー３は中空パイプ状部材であって、図７及びバー３の縦断側面図である図８に示されるように、中空四角筒形の外パイプ６１と、同じく中空四角筒形で外パイプ６１の内部に挿通される内パイプ６２との内外二層構造となっている。なお、外パイプ６１が本発明の外筒に、内パイプ６２が本発明の内筒に、外パイプ６１と内パイプ６２とを合わせて本発明のバー体に、それぞれ相当する。また、フック６０はバー３の長手方向両端部に位置するフック体６３に一体形成されており、このフック体６３は、それぞれ外パイプ６１と内パイプ６２に挿通固定されている連結体６４を介して設けられている。
【００３８】
図７及び図８において、外パイプ６１の内部下面の短手方向中間部には、外パイプ６１のフック６０が設けられている側と反対側の長手方向一端から所定寸法長手方向中間部側へ向けて横長長方形状のロアレール６５が一体形成されている。一方、内パイプ６２下面の短手方向中間部には、外パイプ６１のロアレール６５を調度受け入れる下向き凹状のアッパーレール６６が、内パイプ６２の長手方向両端に亘って一体形成されており、アッパーレール６６の内パイプ６２のフック６０が設けられている側と反対側の長手方向一端近傍上面には、ストッパー６７がビス留めされている。また、外パイプ６１の前後面（図７基準）には、その長手方向両端に亘って案内リブ６８が上下に２本湾曲形成されている。一方、内パイプ６２の前後面（図７基準）にも、その長手方向両端に亘って案内リブ６９が、外パイプ６１の案内リブ６９と同じ高さ位置に上下に２本膨出形成されている。
【００３９】
このように構成されていることで、内パイプ６２が外パイプ６１の内部を摺動自在となっており、図７によく示されるように、バー３の長さを調節自在となっている。このとき、外パイプ６１のロアレール６５が内パイプ６２のアッパーレール６６内を摺動し、かつ内パイプ６２の案内リブ６９が外パイプ６１の案内リブ６８の内部を摺動することで、円滑かつ安定した摺動操作が可能である。内パイプ６２のアッパーレール６６と両パイプ６１・６２の案内リブ６８・６９とが設けられていることによって、バー３の強度も高められている。そして、内パイプ６２を外パイプ６１内から引き出してバー３を伸ばしていき、図７の隠れ線（破線）で示すように、内パイプ６２のストッパー６７が外パイプ６１のロアレール６５に当接することで内パイプ６２の抜け外れが防止されていると同時に、バー３の最大長さ寸法が規定される。一方、内パイプ６２の連結体６４の外形寸法は外パイプ６１の外形寸法と同一となっている。これにより、内パイプ６２を外パイプ６１内へ押し込んでいくと、図７の想像線（二点鎖線）で示されるように、内パイプ６２の連結体６４と外パイプ６１とが当接してバー３の最小長さ寸法が規定される。なお、外パイプ６１と内パイプ６２とは確りと当接しているので、その摩擦力によってバー３は中途長さ寸法でも保持可能である。
【００４０】
そして、パーティション１の不使用時には、バー３を縮めた状態でパーティションスタンド２の内部に収納することができる。図９は、バー３を最小に縮めた状態でパーティションスタンド２内へ収納した状態の斜視図である。図９に示すように、バー３を最小に縮めた状態でパーティションスタンド２のポール１１ないへ収納すると、バー３の上部が僅かにポール１１の上端から上方へ突出しているだけで、バー３の殆どをポール１１内へ収納できている。ここで、上述のようにキャップ１３の内部にも中空空間が形成されており、当該キャップ１３内部の上面はポール１１の上端よりも上方に位置している。これにより、図９に示す状態からキャップ１３でポール１１の挿入口２５を閉塞することができ、このときバー３の上端がキャップ１３内部の上面と近接した高さ関係となっている。以って、バー３をパーティションスタンド２内に完全に収納できている。バー３を最小に縮めた状態でも、ポール１１の上端からバー３の上部が僅かに上方へ突出していれば、キャップ１３を開けてバー３の突出部分を手で掴むことができるので、バー３の抜き出し操作が楽である。なお、パーティション１を運搬する場合、長期保管する場合、又は雨天時などにはキャップ１３でパーティションスタンド２の挿入口２５を閉塞しておくことが好ましいが、晴天での使用時などに一時的に収納するだけの場合などでは、必ずしもキャップ１３で挿入口２５を閉塞しておく必要はない。また、このとき、バー３を少なくとも半分以上ポール１１内へ収納できていればある程度安定して収納しておくことができるので、バー３を必ずしも最小寸法にまで縮めておく必要もない。この方が、バー３の一時的な抜き差しも簡単である。
【００４１】
また、バー３をポール１１内へ収納するには、ポール１１上面の挿入口２５からバー３を落下させるように挿入するが、ポール１１の内部下端にクッション材３０が配されていることで、その落下衝撃が緩衝さてバー３の破損が防止されている。また、ポール１１のスリーブ１６には、バー３の外形と同じ形状の矩形筒部２１ｂが設けられていることで、バー３が矩形筒部２１ｂによってポール１１内でのガタつきが防止されている。このとき、矩形筒部２１ｂの上方には、下方に向かって先窄まり状のテーパー部２１ｃが形成されていることで、バー３をポール１１の挿入口２５から挿入すると、バー３の先端がテーパー部２１ｃを滑り落ちて、矩形筒部２１ｂに案内される。さらに、バー３に雨水や結露などの水分が付着したままポール１１内に収納しても、当該付着水分はその自重によって下方へ移動し、クッション材３０のクッション部３１とポール１１の内面との隙間からクッション材３０の下方へ排出されるので、バー３が水分によって劣化したり汚れたりすることが避けられる。このとき、ポール１１内の水分量が多くなっても、底板１８及び台座１０を固定しているボルトを伝って水分がパーティションスタンド２の下方へ排出されるので、バー３が浸かる程度に水分が溜まることはない。
【００４２】
バー３をパーティションスタンド２に掛け止めるには、バー３の長手方向両端に設けられたフック６０をパーティションスタンド２のフック受け１２に係止すればよい。まず、フック６０の取り付け構造について説明する。図１０によく示されるように、フック６０はフック体６３に一体形成されている。具体的には、フック体６３は、揺動カバー部７０と、該揺動カバー部７０の一側面から一体形成されたフック６０と、揺動カバー７０のフック６０とは反対側に一体形成された揺動片７１とから成る。さらにフック６０は、縦長直方体状の係止部６０ａと、該係止部６０ａと揺動カバー７０との間に介される縦方向に細長いフック基部６０ｂとを有する。揺動片７１は、揺動カバー７０から一体的に延びる断面長方形状の揺動部７１ａと、該揺動部７１ａの先端にある断面円形の揺動基部７１ｂとから成る。また、揺動カバー７０の揺動片７１側は円弧状を呈しており、揺動片７１の下部には、後述のロック片７３を収容可能な切欠部７２が形成されている。
【００４３】
フック体６３とバー３の外パイプ６１及び内パイプ６２とをそれぞれ連結する連結体６４は、フック体６３の揺動片７１を収納可能な揺動凹部７５を有する基部７６と、該基部７６から一体形成されバー３の外パイプ６１又は内パイプ６２の内面に挿通嵌合される連結部７７とから成る。揺動凹部７５の下部には、後述のロック片７３を挿通可能な連通孔７８が貫通状に穿設されている。また、揺動凹部７５は、外方側のテーパー部７５ａと、これの奥方に続く円形部７５ｂとを有する断面錠穴状を呈しており、当該揺動凹部７５は、連結体６４の下面において外部と連通している。
【００４４】
そして、フック体６３の揺動片７１を連結体６４の下面から上面に突き当たるまで揺動凹部７５内にスライド挿入する。このとき、フック体６３の切欠部７２が連結体６４の連通孔７８に臨んでいる。この状態において、ロック片７３を連結体６４の連通孔７８を介してフック体６３の切欠部７２内に差し込むことで、フック体６３が連結体６４に対して下向へ抜け外れ不能にロックされる。このようにフック体６３をロック片７３で連結体６４に連結したうえで、外パイプ６１及び内パイプ６２の内部形状より僅かに小さく設計されている連結部７７を、図７の隠れ線（破線）で示すごとく外パイプ６１及び内パイプ６２の端面開口から挿入し、ビス孔７９において連結体６４が外パイプ６１及び内パイプ６２にビス留めされている。
【００４５】
フック体６３がロック片７３で連結体６４にロックされても、切欠部７２は揺動片７１の全周に亘って切り欠き形成されているので、フック体６３は左右方向ではロックされていない。そのうえ、フック体６３の揺動片７１の揺動部７１ａが長方形であることに対し、連結体６４の揺動凹部７５のテーパー部７５ａが外方に向けて先拡がり状となっている。したがって、揺動部７１ａの左右両側には、フック体６３が左右方向へ揺動可能なクリアランスが形成されていることになる。これにより、連結体６４の揺動凹部７５の円形部７５ｂ内にあるフック体６３の揺動片７１の揺動基部７１ｂを揺動中心として、図１１に想像線（二点鎖線）で示すように、フック体６３が連結体６４、延いては連結体６４に連結されている外パイプ６１及び内パイプ６２に対して左右方向へ揺動自在となっている。なお、フック体６３の揺動カバー７０の揺動片７１側面は、連結体６４の端面と同じ曲率半径を有する円弧状に形成されていることで、フック体６３は揺動片７１を遮蔽しながら連結体６４に対して円滑に揺動できるよう構成されている。
【００４６】
バー３は、フック６０の係止部６０ａをフック受け１２の係止凹部２７へ、フック６０のフック基部６０ｂをフック受け１２のスリット２８へ、それぞれ上方からに差し込むことで、パーティションスタンド２に掛け止めることができ、フック６０の係止部６０ａがフック受け１２の係止凹部２７で係止されることで、バー３がパーティションスタンド２から平面方向へ抜け外れることはない。このとき、図１１によく示されるように、係止部６０ａは直方体状で長手方向外面が平坦となっていることに対し、係止凹部２７の奥面（内周面）は左右方向で凸曲面となっていることで、フック６０の係止部６０ａと係止凹部２７の内周面とは縦方向に線接触している。したがって、フック６０の係止部６０ａの両縁部分とフック受け１２の内周面との間には一定のクリアランスが存在する。このクリアランスが確保されていることにより、上述のフック体６３と連結体６４とにおける揺動機構に加えて、バー３はパーティションスタンド２に対して左右方向へ揺動自在となっている。
【００４７】
パーティションスタンド２には四方にフック受け１２が設けられていることで、基本的にはパーティションスタンド同士を直線状又は直角状に連結できる。しかも、バー３がパーティションスタンド２に対して左右揺動自在となっていることで、パーティションスタンド２同士を直角状や直線状だけでなく、斜めにずらした状態で配置することも可能であり、パーティション１の設置レイアウトの自由度を大きくできる。また、使用時に不意にパーティションスタンド２の設置位置がズレても、フック６０（特にフック基部６０ｂ）への応力集中を回避できるので、バー３の破損を防止できる。また、バー３の一方のフック６０のみをパーティションスタンド２へ係止した片持ち支持状にすれば、図１２に示すようにバー３を左右へ揺動させることで、他方のフック６０側においてパーティションスタンド２との間に隙間を形成できる。このようにすれば、例えば関係者以外立ち入り禁止区域へ関係者が入るための一時的な入り口などを容易に作ることができる。また、バー３は一定の剛性を有しているので、図１に示すごとくバー３にサイン表示４を吊り掛けるのに適している。
【００４８】
最後に、パーティション１を保管するには、パーティションスタンド２にバー３を収納したうえで、図１３に示すごとく一のパーティションスタンド２のポール１１を他のパーティションスタンド２の台座１０の切欠１４に挿入すればよい。これにより、台座１０同士を重ね合わせてポール１１同士を近接させることができるので、複数のパーティション１同士をコンパクトに保管することができる。
【００４９】
以上のように、本発明の実施の形態について説明したが、台座１０、ポール１１及びキャップ１３は、断面円形に限らず、矩形や多角形、楕円形などであってもよい。同様にバー３も断面矩形に限らず、円形や多角形にすることもできる。また、フック受け１２、スリーブ１６上端の規制フランジ２３、クッション材３０のリブ３２、及び内外パイプ６１・６２の案内リブ６８・６９などの形成個数は種々変更可能である。
【図面の簡単な説明】
【００５０】
【図１】パーティションの使用時の斜視図である。
【図２】パーティションスタンドの縦断面側面図である。
【図３】パーティションスタンドの横断平面図である。
【図４】キャップの正面図である。
【図５】図４のＡ−Ａ線断面図である。
【図６】サイン表示取り付け部品の分解斜視図である。
【図７】バー部材の正面図である。
【図８】図７のＢ−Ｂ線断面図である。
【図９】ポールにバー部材を収納した要部拡大斜視図である。
【図１０】フックの取り付け部品の分解斜視図である。
【図１１】フックをフック受けに係止した状態の要部拡大平面図である。
【図１２】パーティションの使用例を示す斜視図である。
【図１３】パーティションの保管状態を示す斜視図である。
【符号の説明】
【００５１】
１  パーティション
２  パーティションスタンド
３  バー
４  サイン表示
１０  台座
１１  ポール
１２  フック受け
１３  キャップ
１４  切欠
１５  ポール体
１６  スリーブ
１７  ポールヘッド
１８  底板
２０  外筒
２１  内筒
２１ａ  円筒部
２１ｂ  矩形筒部
２１ｃ  テーパー部
２２  フランジ
２３  規制フランジ
２４  スリット
２５  挿入口
２６  フランジ
２７  係止凹部
２８  スリット
３０  クッション材
３５  係止片
４０  クリアケース
４１  ホルダー
６０  フック
６０ａ  係止部
６０ｂ  フック基部
６１  外パイプ
６２  内パイプ
６３  フック体
６４  連結体
６７  ストッパー
７０  揺動カバー
７１  揺動片
７３  ロック片
７５  揺動凹部
【図１】
2008303602.tif 000003
【図２】
2008303602.tif 000004
【図３】
2008303602.tif 000005
【図４】
2008303602.tif 000006
【図５】
2008303602.tif 000007
【図６】
2008303602.tif 000008
【図７】
2008303602.tif 000009
【図８】
2008303602.tif 000010
【図９】
2008303602.tif 000011
【図１０】
2008303602.tif 000012
【図１１】
2008303602.tif 000013
【図１２】
2008303602.tif 000014
【図１３】
2008303602.tif 000015